【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
誘電体基板上に印刷技術で実現された少なくとも１つのアンテナおよび／または少なくとも１つのフィルタを備える、高周波信号を送信および／または受信するための装置であって、
前記基板の誘電体誘電率の測定値を送ることのできる、前記誘電率に関連する値を測定するための回路と、誘電率に関連する前記測定値により、前記アンテナのインピーダンスおよび／または前記フィルタの周波数応答を調整できる調整手段と、
をさらに備える、前記装置。
【請求項２】
前記調整手段は、
前記誘電率に関連する前記測定値を受け取ることができ、前記測定値による少なくとも１つのディジタル制御信号を送ることができる調整制御回路と、
前記アンテナの入出力端子に接続され、前記少なくとも１つのディジタル制御信号により制御されて、前記アンテナの前記インピーダンスを変更し、それを所定値に復元するインピーダンス整合ネットワーク、および／または前記少なくとも１つのディジタル制御信号により制御されて、前記少なくとも１つのフィルタの前記周波数応答を変更し、それを所定値に復元する、前記フィルタ内の可変容量素子と、
を備える、請求項１に記載の装置。
【請求項３】
前記インピーダンス整合ネットワークは、前記少なくとも１つのディジタル制御信号によりディジタル的に制御される調整可能なコンデンサを備える、請求項２に記載の装置。
【請求項４】
前記少なくとも１つのフィルタの内部の前記可変容量素子は、バラクタダイオードである、請求項２に記載の装置。
【請求項５】
前記誘電率に関連する値を測定する前記回路は、
制御信号（ｃｍｄ）によりディジタル的に制御可能であり、所定の周波数帯域内の様々な周波数の複数の高周波信号を生成することのできる高周波信号発生器と、
前記発生器により生成された前記高周波信号を受け取り、様々な周波数のこれらの信号のそれぞれに対して、出力信号を送ることのできる共振器と、
前記共振器により送られた前記出力信号のそれぞれに対して信号電力を測定するための電力測定回路と、
前記電力測定回路により測定された電力値から、前記共振器の共振周波数を求めるためのマイクロコントローラであって、前記高周波信号発生器を制御する前記信号（ｃｍｄ）を生成するためのマイクロコントローラと、
前記共振周波数から前記基板の比誘電率を計算するためのプロセッサと、
を備える、請求項１から４のいずれか一項に記載の装置。
【請求項６】
前記共振器はリング共振器である、請求項５に記載の装置。
【請求項７】
前記共振器は、送信された、または受信された前記高周波信号の周波数に近い共振周波数を有するように設計される、請求項５または６に記載の装置。
【請求項８】
様々な動作周波数で動作する少なくとも２つの送信チャネルおよび／または受信チャネルを備え、単一の誘電体基板上に印刷技術で実現された少なくとも１つのアンテナ、および／または少なくとも１つのフィルタをそれぞれが備えており、前記装置は、前記誘電体基板の前記比誘電率を測定するために、前記誘電率に関連する値を測定する回路をさらに備え、前記誘電率に関連する値を測定する前記回路の前記共振器が、最高動作周波数に近接した共振周波数を有するように設計される、請求項５から７のいずれか一項に記載の装置。
【請求項９】
請求項１から８のいずれか一項に記載の装置により実行する、アンテナのインピーダンスおよび／またはフィルタの周波数応答を調整するための方法であって、
所定の周波数帯域における様々な周波数の複数の高周波信号を生成するステップと、
前記基板の前記比誘電率値を測定するステップと、
前記測定値により、前記アンテナの前記インピーダンスおよび／または前記フィルタの前記周波数応答を調整するための制御信号を送るステップと、
を含む、前記方法。
【請求項１０】
最初に前記装置をオンにしたときに１回だけ実施される、請求項９に記載の方法。
【手続補正２】
【補正対象書類名】明細書
【補正対象項目名】００７８
【補正方法】変更
【補正の内容】
【００７８】
本発明は、１つの送信チャネルだけ、または１つの受信チャネルだけを備える装置に適
用可能である。それはまた、アンテナのインピーダンスだけが（フィルタの周波数応答を
変更することなく）調整される装置に、またはフィルタの周波数応答だけが（アンテナの
インピーダンスを変更することなく）調整される装置にも適用可能である。
［付記１］
誘電体基板上に印刷技術で実現された少なくとも１つのアンテナ（３１；３０１、３０１’）および／または少なくとも１つのフィルタ（３２ａ、３２ｂ；３０２ａ、３０２ｂ、３０２ａ’、３０２ｂ’）を備える、高周波信号を送信および／または受信するための装置（３０；３００）であって、
前記基板の誘電体誘電率の測定値を送ることのできる、前記誘電率に関連する値を測定するための回路（１０；１００）と、誘電率に関連する前記測定値により、前記アンテナのインピーダンスおよび／または前記フィルタの周波数応答を調整できる調整手段（２０、３６；２００、３０６、３０６’）と、
をさらに備える、前記装置。
［付記２］
前記調整手段は、
前記誘電率に関連する前記測定値を受け取ることができ、前記測定値による少なくとも１つのディジタル制御信号（Ｃ１、Ｃ２、Ｃ３；Ｃ１’、Ｃ２’、Ｃ３’）を送ることができる調整制御回路（２０；２００）と、
前記アンテナの入出力端子に接続され、前記少なくとも１つのディジタル制御信号により制御されて、前記アンテナの前記インピーダンスを変更し、それを所定値に復元するインピーダンス整合ネットワーク（３６；３０６、３０６’）、および／または前記少なくとも１つのディジタル制御信号により制御されて、前記少なくとも１つのフィルタの前記周波数応答を変更し、それを所定値に復元する、前記フィルタ内の可変容量素子と、
を備える、付記１に記載の装置。
［付記３］
前記インピーダンス整合ネットワーク（３６；３０６、３０６’）は、前記少なくとも１つのディジタル制御信号によりディジタル的に制御される調整可能なコンデンサを備える、付記２に記載の装置。
［付記４］
前記少なくとも１つのフィルタの内部の前記可変容量素子は、バラクタダイオードである、付記２に記載の装置。
［付記５］
前記誘電率に関連する値を測定する前記回路（１０）は、
制御信号（ｃｍｄ）によりディジタル的に制御可能であり、所定の周波数帯域内の様々な周波数の複数の高周波信号を生成することのできる高周波信号発生器（１１）と、
前記発生器により生成された前記高周波信号を受け取り、様々な周波数のこれらの信号のそれぞれに対して、出力信号を送ることのできる共振器（１２）と、
前記共振器により送られた前記出力信号のそれぞれに対して信号電力を測定するための電力測定回路（１３）と、
前記電力測定回路により測定された電力値から、前記共振器の共振周波数を求めるためのマイクロコントローラ（１４）であって、前記高周波信号発生器を制御する前記信号（ｃｍｄ）を生成するためのマイクロコントローラ（１４）と、
前記共振周波数から前記基板の比誘電率を計算するためのプロセッサ（１５）と、
を備える、付記１から４のいずれか一項に記載の装置。
［付記６］
前記共振器はリング共振器である、付記５に記載の装置。
［付記７］
前記共振器は、送信された、または受信された前記高周波信号の周波数に近い共振周波数を有するように設計される、付記５または６に記載の装置。
［付記８］
様々な動作周波数で動作する少なくとも２つの送信チャネルおよび／または受信チャネルを備え、単一の誘電体基板上に印刷技術で実現された少なくとも１つのアンテナ（３０１、３０１’）、および／または少なくとも１つのフィルタ（３０２ａ、３０２ｂ、３０２ａ’、３０２ｂ’）をそれぞれが備えており、前記装置は、前記誘電体基板の前記比誘電率を測定するために、前記誘電率に関連する値を測定する回路（１００）をさらに備え、前記誘電率に関連する値を測定する前記回路（１００）の前記共振器が、最高動作周波数に近接した共振周波数を有するように設計される、付記５から７のいずれか一項に記載の装置。
［付記９］
付記１から８で定義されたものなどの装置の、アンテナのインピーダンスおよび／またはフィルタの周波数応答を調整するための方法であって、
所定の周波数帯域における様々な周波数の複数の高周波信号を生成するステップ（Ｅ１）と、
前記基板の前記比誘電率値を測定するステップ（Ｅ２、Ｅ３）と、
前記測定値により、前記アンテナの前記インピーダンスおよび／または前記フィルタの前記周波数応答を調整するための制御信号を送るステップ（Ｅ４）と、
を含む、前記方法。
［付記１０］
最初に前記装置をオンにしたときに１回だけ実施される、付記９に記載の方法。